(57)【要約】【課題】より小型化、軽量化が要求される携帯電話やノート型パソコンにおいて、耐久性、良好なフィーリング、小型化、軽量化を実現する回転機構を有する二軸ヒンジを提供する。【解決手段】回転軸部材９が回転支持部材１０に固定して設けられ、回転側部材７が回転軸部材９の外周に挿通して取り付けられ、回転側部材７に開閉動作を行うための開閉トルクユニット機構１２を配置した二軸ヒンジで、回転軸部材９に取り付けた摺動部材３または回転軸支持部材１０と圧接部材４間でコイルばね６による荷重で摺動摩擦トルク及びクリックトルクを発生する。本発明の二軸ヒンジの回転機構により耐久性、良好なフィーリング、小型化、軽量化を実現している。又、このような回転機構を携帯電話に適用したものである。【選択図】図１
2005127449.tif 000002
【特許請求の範囲】
【請求項１】
回転および開閉軸を有する二軸構成で、回転軸部材を回転支持部材に固定して設け、回転側部材は該回転軸部材の外周に挿通して取り付け、該回転側部材の左右何れかの一方に開閉動作を行う開閉トルクユニット機構を配置した二軸ヒンジにおいて、回転側部材には埋設構造のコイルばねに先端部が略球形の圧接部材を組み込んだ圧接部が２組以上構成され、また回転軸部材と同期して回転するよう配置した摺動部材の片面には圧接部と当接しクリックを発生するために１つ以上の径方向に伸びた溝を形成し、該圧接部の圧接部材と該摺動部材を弾性的に圧接させる構造にしたことで回転時に摺動摩擦トルクおよびクリックトルクを発生させることを特徴とした二軸ヒンジ。
【請求項２】
回転および開閉軸を有する二軸構成で、回転軸部材に回転支持部材および摺動部材を密着固定し、さらに該回転軸部材の外周に挿通して回転側部材が取り付けられ、該回転側部材の左右何れかの一方に開閉動作を行う開閉トルクユニット機構を配置した二軸ヒンジにおいて、回転側部材には埋設構造のコイルばねに先端部が略球形の圧接部材を組み込んだ圧接部が２組以上構成され、回転支持部材に密着固定された摺動部材の片面には圧接部と当接しクリックを発生するために１つ以上の径方向に伸びた溝を形成し、該圧接部の圧接部材と該摺動部材を弾性的に圧接させることで回転時の摺動摩擦トルクおよびクリックトルクを発生させることを特徴とした二軸ヒンジ。
【請求項３】
圧接部材と弾性的に当接し回転摺動トルクおよびクリックを発生するための摺動部材を省略し、回転軸支持部材の圧接部材と当接する側の平面にクリックを発生するための溝を構成したことを特徴とする請求項２の二軸ヒンジ。
【請求項４】
回転時の摺動トルクおよびクリックを発生させるための弾性体としてコイルばねの替わりに皿ばね、波板ばね、薄板ばねを採用し小型化を図ったことを特徴とする請求項１乃至３のいずれかに記載の二軸ヒンジ。
【請求項５】
回転軸部材の中心に貫通穴を設けたことを特徴とする請求項１乃至４のいずれかに記載の二軸ヒンジ。
【請求項６】
回転軸支持部材もしくは回転軸部材と回転側部材との間で回転範囲を規制する回転ストッパ機構を設けることを特徴とする請求項１乃至５のいずれかに記載の二軸ヒンジ。
【請求項７】
開閉動作を行う開閉トルクユニット機構が、独立したユニットとして組み立てられた後回転側部材に嵌合装着するおよび開閉トルクユニット機構に予め開閉角度制限のストッパやカムを組み合わせたクリック発生機構を設置したユニットを回転側部材に嵌合装着することを特徴とする請求項１乃至６のいずれかに記載の二軸ヒンジ。
【請求項８】
請求項１乃至７のいずれかに記載の二軸ヒンジを備えたことを特徴とする携帯電話。
【発明の詳細な説明】
【技術分野】
【０００１】
本発明は、携帯電話、ノート型パソコン、電子手帳、DVDモニター、リモコン等の電子機器の、折り畳み・回転機構部に使用される二軸ヒンジ部品に関する。
【背景技術】
【０００２】
従来の二軸ヒンジの回転軸の摺動摩擦トルクやクリックトルクの発生機構は、波形ばねを摺動部材に直接押さえつけるもの、皿ばね等の板ばねでカムを押さえつけた構造でトルクを発生させていたものが殆どである。（特許文献１参照）
【０００３】
図１０は、従来の二軸ヒンジ構造の例を示す。プレス加工された開閉軸１０１に貫通して配置した回転軸１０２の一端に波状に加工された板ばね１０３を取り付け、開閉軸の両端に固定部材１０４が回転自在に取り付けられ、回転トルクは板ばね１０３と開閉軸に取り付けられた摩擦部材１０５を圧接する方法で発生している。
【０００４】
従来品ヒンジは、トルクの発生が板ばねの反発力を利用して摩擦部材を圧接する方法のため、摩擦部材１０５の摩耗、板ばね１０３の変形（へたり）によるゆるみやガタ、あるいは耐久性が悪いなどの問題があった。経時変化に伴うトルク変動や耐久の劣化は、機器の品位を損なうばかりか、故障を引き起こす原因になる。最近の２軸ヒンジは、従来品と比べ、操作性や回転・開閉時のフィーリングを重視し、トルク値の維持、高耐久、更には小型軽量化が強く求められてきている。
【０００５】
また従来品ヒンジは回転軸中心近傍に板ばねや摩擦部材を配置するので、回転軸中心に二軸ヒンジが連結する部材間を電気的に接続する電線等を通す穴を設けることが困難なので回転軸の外側に電線を通過させ、これにより結果的に電線を含めた大きさが増大する結果となっている。
【特許文献１】特開２００２−１５５９２３号公報
【発明の開示】
【発明が解決しようとする課題】
【０００６】
本発明が解決しようとする課題は、より小型化、軽量化が要求される携帯電話やノート型パソコンにおいて、耐久性、良好なフィーリング、小型化、軽量化、配線の簡単化を実現するヒンジ部品を提供することである。
図１１には最近の携帯電話の一例を示す。同図の（ａ）は開放状態の斜視図、（ｂ）は同平面図、（ｃ）は９０°展開平面図、（ｄ）は待受け状態の平面図をそれぞれ示す。かかる携帯電話においては、図１１（ａ）に示すように旋回動作させる機構を付加し、図１１（ｄ）に示すようにモニター１０６を設けてある方の面を表に向けて筐体を閉じる（これを待受け状態と呼ぶ）ことで、着信メール等の情報を目視で確認できるようにしたものである。このような携帯電話では相手からの通話に応答する場合、モニター筐体を旋回させて（ｂ）に示す開放状態にする必要がある。
【０００７】
回転トルクの大きい従来品ヒンジを備えた携帯電話では,旋回に要する操作力が大きく、素早く通話に応答することが難しい。従来品ヒンジにおいて旋回操作力を低減させる場合、板ばね１０３（図１０参照）のばね力を下げる必要があるが、これではクリックトルクが低下するため、待受け状態（ｄ）・開放状態（ｂ）の資性が不安定になるといった問題があった。
【課題を解決するための手段】
【０００８】
本発明は下記の構成よりなる。
請求項１に記載の発明は、回転および開閉軸の２軸構成で軸まわりに動作が可能で、回転軸部材が回転支持部材に固定して設けられ、回転側部材が該回転軸部材の外周に挿通して取り付けられ、該回転側部材の左右何れかの一方に開閉動作を行う開閉トルクユニット機構を配置した二軸ヒンジにおいて、回転側部材に２組以上の先端部が略球形の圧接部材とコイルばねを配置し、該圧接部材に当接しかつ回転軸部材に固定して配置した１以上の当接溝を形成した摺動部材を有し、該圧接部材と該摺動部材を弾性的に圧接させることで回転時の摺動摩擦トルク及びクリック（引き込み及び保持）トルクを発生させることを特徴とした二軸ヒンジが得られる。
【０００９】
請求項２に記載の発明は、回転および開閉軸の二軸構成で軸まわりに動作が可能で、回転軸部材に回転支持部材さらに摺動部材を密着固定し、回転側部材が該回転軸部材の外周に挿通して取り付けられ、該回転側部材の左右何れかの一方に開閉動作を行う開閉トルクユニット機構を配置した二軸ヒンジにおいて、回転側部材に２組以上の先端部が略球形の圧接部材とコイルばねを配置し、回転支持部材に密着固定された摺動部材上に１以上の当接溝を有し、該圧接部材と該摺動部材を弾性的に圧接させることで回転時の摺動摩擦トルク及びクリック（引き込み及び保持）トルクを発生させることを特徴とした二軸ヒンジが得られる。
【００１０】
請求項３に記載の発明は、請求項２の二軸ヒンジにおいて、圧接部材と弾性的に当接し回転摺動トルクおよびクリックを発生するための摺動部材を省略し、回転軸支持部材の圧接部材と当接する側の平面にクリックを発生するための溝を構成したことで部品の省略、小型化が可能になる。
【００１１】
請求項４に記載の発明は、請求項１乃至３の何れかの二軸ヒンジにおいて、回転軸の摺動トルクおよびクリックを発生させるための弾性体としてコイルばねの替わりに皿ばね、波板ばね、薄板ばねを採用したことでより小型化を図った二軸ヒンジが可能になる。
【００１２】
請求項５に記載の発明は、請求項１乃至４の何れかの二軸ヒンジにおいて、回転軸部材の中心に貫通穴を設けたことで二軸ヒンジの両端に接続する機器間に渡って電気的接続を行う配線用電線を通すことが可能になる。
【００１３】
請求項６に記載の発明は、請求項１乃至５の何れかの二軸ヒンジにおいて、回転軸支持部材もしくは回転軸部材と回転側部材との間で回転範囲を規制する回転ストッパ機構を設けることで回転範囲を制限することが可能になる。
【００１４】
請求項７に記載の発明は、請求項１乃至６の何れかの二軸ヒンジにおいて、開閉動作を行う開閉トルクユニット機構が、独立したユニットとして組み立てられた後回転側部材に嵌合装着することおよび開閉トルクユニット機構に予め開閉角度制限のストッパーやカムを組み合わせたクリック発生機構を設置したユニットを回転側部材に嵌合装着するで組立の簡単化と、より複雑な機能を有する開閉機構への対応が可能になる。
【００１５】
この発明の携帯電話は、請求項１乃至７の何れかに記載のニ軸ヒンジを備えたことを特徴としている。この構成により、小型化を図りながら筐体を回転展開させるときの操作力を低減できるニ軸ヒンジを備えた携帯電話が実現できる。
【発明の効果】
【００１６】
請求項１の発明は、二軸ヒンジの回転側のトルク発生機構において、摺動トルクとクリックトルクを確実かつ高い耐久性で発生させるための効果を示す。
【００１７】
請求項２の発明は、請求項１で使用した部品の組立構成を変えた場合、請求項１と同じように回転側のトルク発生機構において、摺動トルクとクリックトルクを確実かつ高い耐久性で発生させるための効果を示す。
【００１８】
請求項３の発明は、請求項１および請求項２の摺動部材を省略し、圧接部材と溝を追加した回転軸支持部材を直接当接させる構成にし、部品の省略をした場合でも高いヒンジ特性を維持し、組立が容易になる効果を示す。
【００１９】
請求項４の発明は、コイルばねの替わりに皿ばね、波板ばね、薄板ばねを採用すると小型化が可能になる効果を示す。
【００２０】
請求項５の発明は、回転軸部材中心に穴を設けることで、ヒンジの両端に接続する機器部間に渡って電気的接続を行う配線用電線等を通過させることが可能となる効果を示す。
【００２１】
請求項６の発明は、回転側部材と回転軸支持部材に直接ストッパーを設けることで、回転角度範囲を規制した二軸ヒンジを得ることができる効果がある。
【００２２】
請求項７の発明は、開閉動作を行うユニットを回転側部材に嵌合装着することで、新たに開閉角度制限やストッパ機構の追加、組立の簡略化が得られる効果を示す。
【００２３】
請求項８の発明は、待受け状態・開放状態においてモニター側筐体・操作キー側筐体のロック力を低下させることなく、旋回に要する操作力を低減できるので軽い操作感を得ることができ、クリックトルクを発生させる領域も広く取れるため、動作品位の高い携帯電話が実現できる。
【発明を実施するための最良の形態】
【００２４】
以下本発明の実施の形態を図面に基づいて説明する。
【００２５】
図１は本発明の二軸ヒンジについて請求項１の実施の形態に関わる部品の構成を示している。回転系は、図の上から止め輪１、ばね座金２、摺動部材３、片側が略球形状の二組の圧接部材４、スリーブ５、コイルばね６、回転側部材７、潤滑プレート８、回転軸部材９、回転軸支持部材１０の部品から構成されている。開閉動作を行う機構である開閉トルクユニット機構１２は、回転側部材７に挿入固定して取り付ける構造を示している。
【００２６】
摺動部材３は金属プレス加工により外径が円形形状に形成され、中心部に四角形穴３−１が設けてある。摺動部材３の四角形穴３−１は、回転軸部材９の端部９−２に嵌合挿入され、摺動部材３と回転軸部材９は同期して回転する。摺動部材３の嵌合穴３−１の形状は、回転軸部材９の端部９−２に挿入され、ガタ、滑り、空転が出来難い円形以外の四角、楕円、六角形等が採用できる。摺動部材３の下面には径方向に伸びた二カ所のＶ形状の溝３−２がある。図では、クリックを発生するための溝３−２が２カ所設置された様子を示す。溝３−２の形状は、圧接部材４の形状によりもしくはトルク、発音、耐久特性などから箱形、Ｕ字型、段構造のものが選択し採用できる。また溝３−２の形状は、径方向に伸びた溝に限定されるものでなく半球状、楕円形、四角形の凹み、抜き穴構造でも良い。
【００２７】
クリックを発生させるための溝、凹み、穴等は、必要なクリック特性（トルクの強弱、発音、耐久性、数）により摺動部材３の円周に沿って複数組み合わせて設置することも可能であり、結果として回転時の位置によりクリック感の異なるヒンジが得られる。例えば円周に沿って６０°毎に溝を設置した摺動部材３を採用すれば、３６０°回転時に６カ所でクリックを発生可能である。
尚、摺動部材３の摺動面には、クリック溝３−２の他に図示されていないが安定した摺動トルクを確保するために圧接部材４が円周方向に沿って当接移動する軌跡部が溝構造になっていても良い。摺動部材３は、金属、プラスチックなどの成形、焼結品が使用でき、摩耗および耐久性に合わせて熱処理で硬度を調整し、さらにメッキ、窒化処理等の表面硬化処理を行っても良い。
【００２８】
圧接部材４は先端を球形に加工した円筒状で、球形の反対側はコイルばね６をガイドする凸部４−１が設けてある。
図１には、圧接部材を２組設置した例を示すが、前項の摺動部材３の説明で示した如く必要なクリック特性により２組以上設置しても良い。複数個設置するケースでは回転側部材の軸心からの距離がそれぞれ異なる円周部に設置しても良い。圧接部材４も摺動部材３と同様な摩耗および耐久性が必要であり熱処理による硬度調整、メッキ、窒化処理等の表面硬化処理を行ったものが使用される。
【００２９】
スリーブ５は、金属製の円筒であり、回転側部材７に取り付けて圧接部材４が上下方向に滑らかに動作できるためのガイドを行うためのものである。回転側部材７の材質や加工精度から圧接部材４が滑らかに動作できる場合は樹脂製にしたりあるいは省略もできる。
【００３０】
回転側部材７は、樹脂もしくは金属のダイキャスト成形品であり、中心に回転軸部材９を回転自在に挿通する穴７−１、圧接部材４をスリーブ５を介して配置しかつコイルばね６を収納する穴７−２、開閉トルクユニット機構１２を取り付ける穴７−３がある。
【００３１】
潤滑プレート８は、樹脂製の薄板であり中心に回転軸部材を挿通するための穴８−１があり、回転側部材７と回転軸支持部材１０が直接摩擦しないために配置する。材質は二軸ヒンジに必要な耐久性に応じて適宜選択可能であり、必ずしも樹脂である必要は無く、場合によっては省略しても良い。
【００３２】
回転軸部材９は金属製の円柱形状で、上端部には止め輪１を固定するための溝９−１、摺動部材３の内側穴３−１と嵌合する部位９−２、摺動部材３の下面と突き当てる段差９−３および回転軸支持部材と回転軸部材を密着固定するための略四角形のフランジ部９−４がある。
【００３３】
回転軸支持部材１０は、ヒンジを外部機器筐体に固定するためブラケットであり、支持部材１０にはネジ穴１０−１、回転軸部材９を挿通するための穴１０−２及び回転軸部材９のフランジ部９−４と契合させる略四角形状の凹み１０−３がある。
【００３４】
二軸ヒンジの組み立ては、図１の下側から説明すると、回転軸支持部材１０に回転軸部材９を挿入し、回転軸支持部材の凹み１０−３に回転軸部材のフランジ部９−４を嵌合固定し、回転軸部材９に潤滑プレート８、回転側部材７を挿入する。次に回転側部材の穴７−２にコイルばね６、スリーブ５、圧接部材４を挿入する。さらに、回転軸部材９に摺動部材３を挿入し回転軸部材の段差９−２に突き当て嵌合固定する。最終的にばね座金２を挿入して止め輪１を回転軸部材の溝７−１にばね座金２を圧縮した状態にて固定する。ばね座金２と止め輪１は摺動部材３が上方に抜けること無く固定するための一つの方法であり、摺動部材３を回転軸部材９とカシメ、溶接するもしくはピン等で固定しても良い。摺動部材３の上下方向の位置決めは、本実施例では回転軸部材９の段差９−３と止め輪１で摺動部材３を回転軸部材９の段差９−３に突き当てて押さえつける構成にし、摺動部材と圧接部材４都の間で発生する摺動トルクやクリックトルクの安定化を図っている。但し突き当てまでの段差９−３を省略し止め輪１によって上下方向の位置決めを行う構成に簡略化しても良い。最後に回転側部材の穴７−３に開閉トルクユニット機構１２を挿入固定する。
【００３５】
図２は図１で示された部品を組み立て得られる二軸ヒンジで請求項１の完成品の正面図を示す。図１では、コイルばね６の荷重（反発力）で摺動部材３と圧接部材４が押され、摺動抵抗トルクが発生し、回転側部材の回転に伴い、摺動部材３の溝３−２と圧接部材４が係合した際にクリックトルクが発生する。本実施例では２組の圧接部材４と２カ所溝部を有する摺動部材３を組み合わせた例である。尚、実施例で示した２組の圧接部材４及び溝３−２の例では、１８０°毎にクリックを発生する構成を示している。回転方向におけるクリックの位置及びヒンジが必要とする回転方向の摺動トルクやクリックトルクの強さは、摺動部材３に設置する溝３−２の数、圧接部材４の数及び先端部形状更にはコイルばね６のばね力を調整することで容易に回転動作の異なるヒンジが実現可能である。
【００３６】
本実施例の圧接部材４は先端部が略球形状であるため、摺動部材３に微少な面積で当接することで滑らかな摺動摩擦トルクの回転感触を得ている。ばね定数が小さいコイルばね６は、圧接部材４が摺動部材の平坦部３−３に当接している場合と摺動部材の溝３−２に契合している場合の荷重差が小さいことで、強いクリックトルクを発生させることができる。さらに摺動摩擦により摺動部材３または圧接部材が摩耗した場合でもコイルばね６の荷重減少が少なく、摺動摩耗によるトルク変化の少ない耐久性に優れた二軸ヒンジを得ることができる。
【００３７】
図３は、本発明の二軸ヒンジについて請求項２の実施の形態に関わる部品の構成を示している。摺動部材３は回転軸部材９に密着固定され、溝３−２が上側を向いて配置してある。圧接部材４、スリーブ５及びコイルばね６は回転側部材の下側に配置し、潤滑プレート８を介して固定リング１１と止め輪１で固定する。潤滑プレート８は固定リング１１と回転側部材７の摩擦を考慮して設けた部材であり、二軸ヒンジが必要とする耐久性、トルク及び回転フィーリング等に応じて、潤滑プレート８を省略することも可能である。
【００３８】
本発明によれば、特許請求項１の実施の形態を示す図１および特許請求項２の実施の形態を示す図３で示した例を一つの回転側部材７の上下面に構成させることも含まれる。回転トルク発生部を回転軸側部材７の上下に設置したヒンジは、ヒンジの小型化、大きな回転摺動トルクあるいは耐久性の要求、クリック発生部の多数箇所の設定に対して有効である。
【００３９】
図４は、図３で示した特許請求項２の実施の形態を示す例に対し摺動部材３を省略し、回転軸支持部材１０の圧接部材４と当接する側の平面にクリックを発生するための溝１０−１を構成した請求項３の例を示している。回転軸支持部材１０の上面に２カ所の溝１０−１があり、この溝１０−１と圧接部材４で摺動摩擦トルクとクリックトルクを発生することができる。回転軸支持部材１０は、二軸ヒンジが必要とする耐久性に合わせ、熱処理で硬度を調整またはメッキ、窒化処理等の表面硬化処理を行っても良い。摺動部材４を省略することで、部品点数を減らして組み立て容易な簡便な構造とすることができる。
【００４０】
図５は、請求項５の回転軸部材９の例を示す。請求項１及び２の実施例で使用する回転軸部材９の中心に穴を設けたものである。この穴は、二軸ヒンジが使用される機器において、例えばキーボード側からモニター側への音声・映像用配線、あるいはアンテナ線などを通過させることが可能であることを示す。
【００４１】
図６は、請求項６で二軸ヒンジの回転側のストッパ機構を示す例である。図は、回転側部材７の側面及び底面と回転軸支持部材１０の側面及び上面を示している。回転側部材７の回転より回転側部材７の突起状ストッパ７−４と回転軸支持部材１０の２カ所の突起状ストッパ１０−４が接触し、これ以上の回転が出来ない構造を示している。本実施例では、突起状ストッパ７−４および１０−４により回転範囲が１８０°の場合のストッパ構造を示している。二軸ヒンジが必要とする回転範囲は、回転側部材の突起状ストッパ７−４と回転側部材のストッパ１０−４の数、位置、形状により変更可能である。回転側部材７と回転軸支持部材１０へのストッパー部の設置は、部品の成型と同時に加工するため、特別なストッパ部材を追加することなく、ストッパ機構を得ることができる。
【００４２】
図７は、請求項４で二軸ヒンジの回転時の摺動トルクおよびクリックを発生させるための弾性体としてコイルばねの替わりに皿ばね、波板ばね、薄板ばねを採用し小型化を図る例を示す。図は、圧接部材４に円錐型の板ばね６で反発力を与えている状態を示す。皿ばね、波板ばね、薄板ばね形状は、図に示したような単品の場合あるいは回転軸部材９の外周に沿い摺動部材３の形状に合わせた半月型、ドーナツ型も使用可能である。板ばね６および圧接部材４の形状を吟味することで、回転側部材７の回転軸方向の厚さは薄型化が可能になる。
【００４３】
図８は、本発明で使用される圧接部材の形状を示す。図の（１）は、図１および図３の実施例で示したもの、（２）は先端が球状で突起付き、（３）は円筒の先端が球状の簡易型、（４）は半球体である。図に示していないがボールベアリングのような球体も当然使用可能である。
【００４４】
図９は、請求項７で二軸ヒンジの開閉トルクユニット機構が、独立したユニットとして組み立てられた後回転側部材７に嵌合装着するおよび開閉トルクユニット機構１２に予め開閉角度制限のストッパ１２−１、１２−２やカム１２−３および筐体接続用ソケット１２−４を組み合わせたクリック発生機構を設置したユニットを回転側部材に嵌合装着した例を示す。開閉トルクユニット機構１２を独立したユニットとして組み立てられた後回転側部材７に嵌合装着することで、組立が簡単で開閉角度制限やクリックが発生できる二軸ヒンジを得ることが出来る。
本発明のニ軸ヒンジを備えた携帯電話は、図１１に示す携帯電話に、本発明の開閉トルクユニット機構１２他を組み込んで、クリックトルクを下げずに摺動トルクを低減できるため軽い操作感で旋回動作が可能な携帯電話を実現できる。
【図面の簡単な説明】
【００４５】
【図１】請求項１および請求項５の実施の形態に関わる部品の構成図である。
【図２】請求項１の実施の形態を示す完成品の正面図である。
【図３】請求項２の実施の形態に関わる部品の構成図である。
【図４】請求項３の実施の形態に関わる部品の構成図である。
【図５】請求項５の実施の形態に関わる部品図である。
【図６】請求項６の実施の形態に関わる部品図である。
【図７】請求項４の実施の形態に関わる部品の構成図である
【図８】請求項１および請求項２の実施の形態に関わる部品図である
【図９】請求項７の実施の形態に関わる部品図である
【図１０】従来の二軸ヒンジ構造の例を示す組み立て図である。
【図１１】本発明のニ軸ヒンジを適用する携帯電話の説明図である。
【符号の説明】
【００４６】
１  止め輪
２  ばね座金
３  摺動部材
４  圧接部材
５  スリーブ
６  コイルばね
７  回転側部材
８  潤滑プレート
９  回転軸部材
１０  回転軸支持部材
１１  固定リング
１２  開閉トルクユニット機構
【図１】
2005127449.tif 000003
【図２】
2005127449.tif 000004
【図３】
2005127449.tif 000005
【図４】
2005127449.tif 000006
【図５】
2005127449.tif 000007
【図６】
2005127449.tif 000008
【図７】
2005127449.tif 000009
【図８】
2005127449.tif 000010
【図９】
2005127449.tif 000011
【図１０】
2005127449.tif 000012
【図１１】
2005127449.tif 000013